(57)【要約】埋め込み可能な医療装置は、ハウジングと、ハウジングに取り付けられたヘッダとを含む。ヘッダは孔を有するヘッダ本体を含むとともに、孔の内には電気的接触部が配置される。電気的接触部は、軸方向の孔を有する螺旋コイルばねを含み、螺旋コイルばねの軸方向の孔は、孔の長軸と合致している。
2015521523.tif 000002
【特許請求の範囲】
【請求項１】
ハウジングと、該ハウジングに取り付けられたヘッダとを備え、
前記ヘッダは孔を有するヘッダ本体を含むとともに、前記孔の内には電気的接触部が配置され、
前記電気的接触部は、軸方向の孔を有する螺旋コイルばねを含み、
前記螺旋コイルばねの前記軸方向の孔は、前記孔の長手方向の軸線と合致している埋め込み可能な医療装置。
【請求項２】
前記螺旋コイルばねは、該螺旋コイルばねの第１端の直径及び第２端の直径に比べて小さな内径を有する中間部を含む請求項１に記載の埋め込み可能な医療装置。
【請求項３】
前記中間部は、前記螺旋コイルばねに挿入された端子が前記中間部によって把持されるような大きさに形成されている請求項２に記載の埋め込み可能な医療装置。
【請求項４】
前記螺旋コイルばねは、接触ハウジング内に取り付けられる請求項１〜３のいずれか一項に記載の埋め込み可能な医療装置。
【請求項５】
前記螺旋コイルばねは第１端又は第２端のうち少なくとも一方により、前記接触ハウジングに固定されている請求項４に記載の埋め込み可能な医療装置。
【請求項６】
前記螺旋コイルばねは、生体内での電気的接触部の使用中に、前記螺旋コイルばねの隣接する線条が、互いに接触しないようなピッチを有する請求項１〜５のいずれか一項に記載の埋め込み可能な医療装置。
【請求項７】
前記螺旋コイルばねは、該螺旋コイルばねの中間部と、該螺旋コイルばね内に挿入される端子との間の相対的な動きを最小化するように構成される請求項１に記載の埋め込み可能な医療装置。
【請求項８】
前記螺旋コイルばねの中間ターンは円形である請求項１〜７のいずれか一項に記載の埋め込み可能な医療装置。
【請求項９】
前記螺旋コイルばねの中間ターンは楕円形である請求項１〜７のいずれか一項に記載の埋め込み可能な医療装置。
【請求項１０】
前記螺旋コイルばねは、第１端または第２端のうちの一方が強固に固定されるとともに、前記第１端または前記第２端のうちの他方が前記孔の内において長軸方向に移動可能に前記孔の内に取り付けられる請求項１〜９のいずれか一項に記載の埋め込み可能な医療装置。
【請求項１１】
前記孔の内に受容されるように構成された端子を含むリード線をさらに有する請求項１〜１０のいずれか一項に記載の埋め込み可能な医療装置。
【請求項１２】
前記螺旋コイルばねは、ＭＰ３５Ｎ合金により形成される請求項１〜１１のいずれか一項に記載の埋め込み可能な医療装置。
【請求項１３】
ハウジングと、前記ハウジングに取り付けられたヘッダとを備え、
前記ヘッダは孔を有するヘッダ本体を含むとともに、前記孔の内には電気的接触部が配置され、
前記電気的接触部は、軸方向の孔を有する螺旋コイルばねを含み、
前記螺旋コイルばねの前記軸方向の孔は、前記孔の長手方向の軸線と合致し、
前記螺旋コイルばねは、該螺旋コイルばねの第１端及び第２端よりも小さな外径を有する中間部を含み、
前記中間部は、前記螺旋コイルばねに挿入された端子が前記中間部によって把持されるような大きさに作られている埋め込み可能な医療装置。
【請求項１４】
前記螺旋コイルばねは、該螺旋コイルばねの第１端又は第２端のうち少なくとも一方が接触ハウジングに固定されて、該接触ハウジング内に取り付けられている請求項１３に記載の埋め込み可能な医療装置。
【請求項１５】
前記螺旋コイルばねは、接触ハウジングに固定されないで、該接触ハウジング内に取り付けられている請求項１３に記載の埋め込み可能な医療装置。
【請求項１６】
前記螺旋コイルばねは、前記第１端または第２端のうちの一方が強固に固定されるとともに、前記第１端または第２端のうちの他方が前記孔の内において長軸方向に移動可能に前記孔の内に取り付けられる請求項１３〜１５のいずれか一項に記載の埋め込み可能な医療装置。
【請求項１７】
前記螺旋コイルばねは、該螺旋コイルばねの隣接する線条が、互いに接触しないようなピッチを有する請求項１３〜１６のいずれか一項に記載の埋め込み可能な医療装置。
【請求項１８】
軸方向の孔を有する螺旋コイルばねを含む電気的接触部を形成し、
埋め込み可能な装置のヘッダの孔の内に、前記螺旋コイルばねの前記軸方向の孔が前記ヘッダの孔の長軸と合致するように、前記電気的接触部を配置する方法。
【請求項１９】
前記螺旋コイルばねは、該螺旋コイルばねの第１端及び第２端よりも小さな外径を有する中間部を含む請求項１８に記載の方法。
【請求項２０】
前記中間部は、前記螺旋コイルばねに挿入されたリード端子が前記中間部により把持されるとともに、前記螺旋コイルばねの前記第１又は第２端により把持されないような大きさに作られている請求項１８に記載の方法。
【発明の詳細な説明】
【技術分野】
【０００１】
この発明は、埋め込み可能な装置のヘッダの接触部に関する。
【背景技術】
【０００２】
心臓に埋め込まれるか、又は心臓周りに埋め込まれるリード線は、不整脈に脅威を及ぼす特定の生活を覆すために、又は、心臓の収縮を刺激するために使用されてきた。心臓を通常のリズムに戻すために、電気エネルギーが、リード線上の電極を介して心臓に加えられる。
【０００３】
埋め込み可能な装置のヘッダは、リード導体を埋め込み可能な装置の回路に連結するために使用される。例えば、ヘッダの接触部は、心臓刺激システムを心臓の一部分と接触するためのリード電極と電気的に連結するために使用される。特許文献１は、板バネ接触部を有するヘッダについて説明している。
【先行技術文献】
【特許文献】
【０００４】
【特許文献１】米国特許第５，７３０，６２８号明細書
【発明の概要】
【発明が解決しようとする課題】
【０００５】
本発明の目的は、埋め込み可能な装置のヘッダの接触部を提供することにある。
【課題を解決するための手段】
【０００６】
例１では、ハウジングと、該ハウジングに取り付けられたヘッダとを備え、前記ヘッダは孔を有するヘッダ本体を含むとともに、前記孔の内には電気的接触部が配置され、前記電気的接触部は、軸方向の孔を有する螺旋コイルばねを含み、前記螺旋コイルばねの前記軸方向の孔は、前記孔の長手方向の軸線と合致している埋め込み可能な医療装置を含むことが可能である。
【０００７】
例２では、例１の主題において、前記螺旋コイルばねは、該螺旋コイルばねの第１端の直径及び第２端の直径に比べて小さな内径を有する中間部を含むことが可能である。
例３では、例２の主題において、前記中間部は、前記螺旋コイルばねに挿入された端子が前記中間部によって把持されるような大きさに形成されることが可能である。
【０００８】
例４では、例１〜３の内の任意の主題において、前記螺旋コイルばねは、接触ハウジング内に取り付けられることが可能である。
例５では、例４の主題において、前記螺旋コイルばねは第１端又は第２端のうち少なくとも一方により、前記接触ハウジングに固定されることが可能である。
【０００９】
例６では、例１〜５の内の任意の主題において、前記螺旋コイルばねは、生体内での電気的接触部の使用中に、前記螺旋コイルばねの隣接する線条が、互いに接触しないようなピッチを有することが可能である。
【００１０】
例７では、例１〜６の内の任意の主題において、前記螺旋コイルばねは、該螺旋コイルばねの中間部と、該螺旋コイルばね内に挿入される端子との間の相対的な動きを最小化するように構成されることが可能である。
【００１１】
例８では、例１〜７の内の任意の主題において、前記螺旋コイルばねの中間ターンは円形であることが可能である。
例９では、例１〜７の内の任意の主題において、前記螺旋コイルばねの中間ターンは楕円形であることが可能である。
【００１２】
例１０では、例１〜９の内の任意の主題において、前記螺旋コイルばねは、第１端または第２端のうちの一方が強固に固定されるとともに、前記第１端または前記第２端のうちの他方が前記孔の内において長軸方向に移動可能に前記孔の内に取り付けられることが可能である。
【００１３】
例１１では、例１〜１０の内の任意の主題において、前記孔の内に受容されるように構成された端子を含むリード線をさらに有することが可能である。
例１２では、例１〜１１の内の任意の主題において、前記螺旋コイルばねは、ＭＰ３５Ｎ合金により形成されることが可能である。
【００１４】
例１３では、埋め込み可能な医療装置は、ハウジングと、前記ハウジングに取り付けられたヘッダとを備え、前記ヘッダは孔を有するヘッダ本体を含むとともに、前記孔の内には電気的接触部が配置され、前記電気的接触部は、軸方向の孔を有する螺旋コイルばねを含み、前記螺旋コイルばねの前記軸方向の孔は、前記孔の長手方向の軸線と合致し、前記螺旋コイルばねは、該螺旋コイルばねの第１端及び第２端よりも小さな外径を有する中間部を含み、前記中間部は、前記螺旋コイルばねに挿入された端子が前記中間部によって把持されるような大きさに作られた埋め込み可能な医療装置を含む。
【００１５】
例１４では、例１３の主題において、前記螺旋コイルばねは、該螺旋コイルばねの少なくとも一端が接触ハウジングに固定されて、該接触ハウジング内に取り付けられることが可能である。
【００１６】
例１５では、例１３の主題において、前記螺旋コイルばねは、接触ハウジングに固定されないで、該接触ハウジング内に取り付けられることが可能である。
例１６では、例１３〜１５の内の任意の主題において、前記螺旋コイルばねは、前記第１端または第２端のうちの一方が強固に固定されるとともに、前記第１端または第２端のうちの他方が前記孔の内において長軸方向に移動可能に前記孔の内に取り付けられることが可能である。
【００１７】
例１７では、例１３〜１６の内の任意の主題において、前記螺旋コイルばねは、該螺旋コイルばねの隣接する線条が、互いに接触しないようなピッチを有することが可能である。
【００１８】
例１８では、方法は、軸方向の孔を有する螺旋コイルばねを含む電気的接触部を形成し、埋め込み可能な装置のヘッダの孔の内に、前記螺旋コイルばねの前記軸方向の孔が前記ヘッダの孔の長軸と合致するように、前記電気的接触部を配置する方法を含むことが可能である。
【００１９】
例１９では、例１８の方法の前記螺旋コイルばねは、該螺旋コイルばねの第１端及び第２端よりも小さな外径を有する中間部を含むことが可能である。
例２０では、例１８の方法の前記中間部は、前記螺旋コイルばねに挿入されたリード端子が前記中間部により把持されるとともに、前記螺旋コイルばねの前記第１又は第２端により把持されないような大きさに作られることが可能である。
【００２０】
これらの例は、任意の入れ替え又は組み合わせにより結びつけることができる。本概要は、本特許出願の主題の概要を提供することを意図しており、本発明の排他的または網羅的な説明を提供することを意図するものではない。詳細な説明は、本特許出願に関するさらなる情報を提供するために含まれている。
【図面の簡単な説明】
【００２１】
【図１】少なくとも一つの実施例に基づく埋め込み可能なシステムの図。
【図２】一実施例に基づくヘッダの側断面図。
【図３】一実施例に基づく電気的接触部の断面図。
【図４】図３の電気的接触部の螺旋コイルばねの斜視図。
【図５】図３の螺旋コイルばねの側面図。
【図６】図３の螺旋コイルばねを軸方向から見た図。
【図７】一実施例に基づく螺旋コイルばねを軸方向から見た図。
【図８】電気的接触部及び電気的接触部内に挿入された端子の側面図。
【図９】電気的接触部及び電気的接触部内に挿入された端子の側面図。
【図１０】電気的接触部及び電気的接触部内に挿入された端子の側面図。
【発明を実施するための形態】
【００２２】
図１は、一実施例に基づく埋め込み可能なシステム１００を示す。埋め込み可能なシステム１００は、パルス発生器１０５と、少なくとも一つのリード線１１０とを含む。パルス発生器１０５は、ハウジング１０６と、ハウジング１０６に取り付けられたヘッダ１０４とを含む。パルス発生器１０５は、患者の胸壁に設けられた皮下ポケットに埋め込むことができる。代替的には、パルス発生器１０５は、腹部、又は他の箇所に設けられた皮下ポケットに配置することができる。パルス発生器１０５は、ハウジング１０６に収容された電池、コンデンサ、及び他の部品等の電源を含むことができる。パルス発生器１０５は、処理及び評価を提供するために、且つ、除細動、心臓除細動のための、又は、細動、頻脈、心不全及び除脈を含む不整脈に応じた心臓のペーシングのための異なるエネルギーレベル及びタイミングの電気ショック及びパルスを供給するために、マイクロプロセッサを含むことができる。
【００２３】
他の実施形態では、埋め込み可能なシステム１００は、埋め込み可能な電気的刺激装置としての使用に適する。埋め込み可能な電気的刺激装置には、神経刺激器、骨格刺激器、中枢神経系刺激器、又は痛み治療用の刺激器等が挙げられるが、これらに限ったものではない。
【００２４】
リード線１１０は、近位端１１２を有するリード本体１１３を含む。リード線の端子１５０は、近位端１１２においてパルス発生器１０５のヘッダ１０４と連結することができる。リード線１１０は、埋め込まれたときに心臓の一部と連結される遠位端まで延びている。リード線１１０の遠位端は、電極１１０を心臓と電気的に連結する少なくとも一つの電極を含む。少なくとも一つの電気伝導体は、リード線１１０内に配置され、近位端１１２から電極まで延びている。電気伝導体は、パルス発生器１０５及び電極の間において、電流及び信号を伝える。
【００２５】
ヘッダ１０４は、リード線１１０のリード端子１５０を受容するように構成された一つ以上の孔１４０を含む。本実施例では、リード端子１５０は、近位先端接触部１５２及び端子リング接触部１５４を含む。他の実施例では、リード端子１５０は、複数のリング接触部１５４を含む。端子接触部１５２，１５４は、ステンレス鋼により作ることができる一方、端子１５０の絶縁部はポリウレタンにより形成することができる。端子リング接触部１５４は、リード線１１０に含まれる伝導体を介して連結される。
【００２６】
図２は、ヘッダ１０４の側断面図の例を示す。ヘッダ１０４は、ヘッダ本体２１０と、ヘッダ本体２１０内に形成された孔１４０と、孔１４０内に位置し、且つリード線１１０の対応する接触部１５４と電気的に接触する一つ以上の電気的接触部２２０とを含むことができる。電気的接触部２２０は、パルス発生器の電子機器と電気的に接続される円筒形で金属製の接触ハウジング２２２内に取り付けられることができる。
【００２７】
孔１４０は本体２１０内に形作られ、端子１５０を受容する大きさにされている。幾つかの実施例では、孔１４０は、各ステップが一つ以上の接触部を有する一連のステップを区画するように、直径が減少する一連の部分を含むことができる。同様に、端子１５０は、各部分が一つ以上の接触部を有するように直径が減少する一連の部分を備えたステップ状のデザインを含むことができる。さらに、幾つかの実施形態では、システムは、リード端子１５０をヘッダ１０４内の場所に保持するための任意の止めねじを含むことができる。他の実施形態では、止めねじを省くことができる。幾つかの実施例では、二つ以上の接触部２２０が孔１４０に配置されている。他の実施例ではより少ない接触部を含むことができる。
【００２８】
図３は、電気的接触部２２０の断面図の一例を示す。一実施例においては、接触部２２０は、例えば、ＭＰ３５Ｎ又は３１６Ｌのステンレス鋼で作られる円筒形の接触ハウジング２２２内に配置されている。円筒形の接触ハウジング２２２は、他の適切な材料により形成することもできる。電気的接触部２２０は、軸線２３０に沿って配置された軸方向の孔を有する螺旋コイルばね２２１を含むことができる。図２に示すように、螺旋コイルばね２２１の軸方向の孔は、孔１４０の長手方向の軸線２４０と合致することができる。螺旋コイルばね２２１は、リード端子１５０を受容する大きさの内径を有する。
【００２９】
螺旋コイルばね２２１は、第１端３０４及び第２端３０６を含むことができる。螺旋コイルばねは、少なくとも第１又は第２端のいずれか一方によって、接触ハウジング２２２に固定されることができる。螺旋コイルばね２２１は、第１端３０４又は第２端３０６の内の一方がハウジングに強固に固定され、且つ、第１端又は第２端の内の他方が接触ハウジング２２２の孔内において長軸方向に移動可能に接触ハウジング２２２内に取り付けられる。例えば、螺旋コイルばね２２１は、螺旋コイルばね２２１の第１端３０４又は第２端３０６において、ハウジング２２２にスポット溶接されることができる。溶接は、螺旋コイルばね２２１の軸方向の一箇所のみを拘束するため、螺旋コイルばねは、ハウジング２２２と共に軸方向に移動することができる。別の例では、ハウジング２２２において螺旋コイルばね２２１を固定するために一つ以上の溶接点を用いることができる。いくつかの例では、溶接点が用いられず、螺旋コイルばね２２１は単に接触ハウジング２２２内に配置され、そして、ハウジング２２２の端壁により保持される。
【００３０】
螺旋コイルばね２２１は、螺旋コイルばね２２１の第１端３０４及び第２端３０６に比べ小さな外径を有する中間部３０２を含むことができる。中間部３０２、第１端３０４及び第２端３０６の直径は、中間部３０２が少なくとも一つの中間ターン３０８を含むように選択される。螺旋コイルばね２２１の第１端３０４及び第２端３０６がリード端子１５０を把持しない一方、中間ターン３０８は、締まりばめにより端子１５０と接触し、且つ把持するような大きさに作られている。このような構造は、端子１５０が孔１４０内に取り付けられているとき、及び埋め込み可能なシステム１００が体内に埋め込まれているときに生じる生体内における軸方向への僅かな移動を端子１５０が受けたときに、少なくとも一つの中間ターン３０８が、リード端子１５０と共に軸線２３０に沿って軸方向に移動することを可能にする。中間部３０２は、螺旋コイルばね２２１に挿入された端子が、螺旋コイルばね２２１の第１又は第２端３０４，３０６によってではなく、中間部３０２により把持されるような大きさに作られることができる。
【００３１】
板バネ接触部などの従来のヘッダの接触部では、接触部及び端子の間の接触点は、端子が軸方向の動きを受けたときに、ヘッダの孔に対して静止している。このことは、接触点における接触部及び端子の磨耗を引き起こしうる。接触点の磨耗は、端子及び接触部の間の電気的結合を徐々に悪化させうる。対照的に、このヘッダ接触部２２０における接触点は、螺旋コイルばね２２１の中間ターン３０８を含む。中間ターン３０８は、端子１５０を把持し、端子１５０がヘッダの孔１４０内を軸方向に移動するときに、リード端子１５０と共に軸方向に移動する。従って、螺旋コイルばね２２１は、螺旋コイルばね２２１の中間部３０２と、螺旋コイルばね２２１に挿入された端子１５０との間の相対的な動きを最小限にするように構成することができる。結果的に、リード端子１５０及び接触部２２０の間の摩擦又は磨耗を最小限にすることができる。
【００３２】
一実施例では、螺旋コイルばね２２１は、中間部３０２において、約０．０９８８インチ（２．５１ｍｍ）〜約０．１０１４インチ（２．５７６ｍｍ）の内径を有し、その内径はＩＳ‐１のリード端子の直径等のための０．１０６インチ（２．６９ｍｍ）のリードピンのサイズに対応する。他の実施例では、ＬＶ−１のリード線及びＩＳ‐４／ＤＦ‐４のリード線等のためのリード端子サイズに応じて他の直径を利用する。
【００３３】
いくつかの実施形態において、螺旋コイルばね２２１は、ＭＰ３５Ｎ合金により形成することができる。他の例の材料は、チタン、白金／イリジウム及びそれらの組み合わせを含む。電気的接触部２２０は、過剰な挿入力を有さない一方、中間部３０２において、リード端子リング接触部１５４に対して端子１５０及び接触部２２０間の充分な電気的かつ機械的な接触を提供するのに充分な力を提供する強度を有する。
【００３４】
図４は、本開示の実施形態による螺旋コイルばね２２１の斜視図を示す。図５は、本開示の実施形態による螺旋コイルばね２２１の側面図を示す。図６は、本開示の実施形態による螺旋コイルばね２２１の軸方向の端面図を示す。
【００３５】
一実施例では、螺旋コイルばね２２１のピッチは、生体内の力により生じるリード端子の軸方向の動きにより、螺旋コイルばね２２１の隣接する線条が互いに接触しないような大きさにすることができる。例えば、幾つかの研究では、生体内の力によりリード端子は軸方向に約４ミリメートル移動しうることが見出された。従って、ピッチがワイヤの直径と、線条間の空隙との合計（又は、隣接する線条の中心間の距離）に等しいという関係に基づいて、各空隙５０２（例えば図５に示す）の合計の隙間は、少なくとも４ミリメートルであるように選択することができる。従って、螺旋コイルばね２２１用として選ばれたワイヤの直径に応じて、所望のピッチが決定される。例えば第１端３０４、中間部３０２及び第２端３０６の各ピッチは互いに異ならせることができるが、全ての空隙の合計の空隙サイズは、４ミリメートルより大きくすることができる。隣接する線条が生体内における端子の軸方向の動きの間に接触しないように十分に大きなピッチを提供することは、接触部２２０が、螺旋コイルばね２２１及び端子１５０の間に摩擦がないようにすることを可能にするとともに、螺旋コイルばね２２１における隣接する線条の任意のワイヤ同士の摩擦を最小限にすることを可能にする。
【００３６】
第１及び第２端３０４，３０６よりも小さな直径を有する中間部３０２を備える螺旋ワイヤ２２１を形成する一つの技術は、螺旋コイルばね２２１と同様の形状を有するマンドレルを使用することである。ワイヤは所望のピッチでマンドレルの周りに巻かれ、螺旋コイルばねが形成される。そして、螺旋コイルばね２２１はハウジング２２２内に挿入されることができる。
【００３７】
一実施例では、中間部３０２は、螺旋コイルばね内に挿入されたリード端子が中間ターン３０８により一様に把持されるように、円形部６０２を含む。
図７は、一実施例による螺旋コイルばね７２１を軸方向から見た図を示す。螺旋コイルばね７２１において、中間部７０２は楕円形状を有する中間ターン７０８を含む。このような構造は、端子が生体内の動きを受けたときに、中間ターン７０８が端子と共に軸方向に移動することを可能にする一方で、中間部は端子に沿った少なくとも二点において端子を把持する。
【００３８】
図８は、ヘッダの孔１４０内における電気的接触部２２０と、螺旋コイルばね２２１内に挿入された端子１５０とを示す側面図である。そして、図９及び１０は、ヘッダの孔１４０内において、端子１５０が生体内の軸方向の動きを受けたときの側面図を示す。
【００３９】
使用時には、リード端子１５０はヘッダの孔１４０内に挿入され、螺旋コイルばね２２１の中間部３０２の中間ターン３０８が端子１５０を把持する。この実施例では、第２端３０６がハウジング２２２に固定され、第１端３０４はハウジング２２２に固定されていない。螺旋コイルばねの第１及び第２端３０４，３０６は、端子を把持していない。図９に示すように、リード端子１５０が孔１４０の遠位端に向かって僅かに移動すると、第１端３０４が中間部３０２と共に引っ張られて第２端３０６が詰められると同時に、中間ターン３０８は、リード端子１５０と共に移動する。図１０に示すように、リード端子１５０が孔１４０の近位端に向かって僅かに移動すると、第１端３０４が詰められて第２端３０６が伸びると同時に、中間ターン３０８はリード端子１５０と共に移動する。上述のように、把持している螺旋コイルばね２２１の中間部３０２は、端子と共に移動するため、電気的接触部２２０及び端子１５０の間の摩擦は最小化される。さらに、螺旋コイル２２１において適切なピッチが選択されていれば、リード端子１５０の生体内における軸方向の動きの間において、螺旋コイルばね２２１の隣接するコイルターンにおけるワイヤ同士の摩擦を最小化することができる。
【００４０】
上記の詳細な説明は、詳細な説明の一部を形成する添付図面の参照を含む。図面は、例証として、本発明を実施する具体的な実施形態を示す。これらの実施形態は、明細書において「実施例」としても言及されている。そのような実施例は、図示又は記載されたものの他に構成部品を含むことができる。しかし、本発明者はまた、図示または記載された要素のみが提供される実施例を考慮している。さらに、本発明者はまた、本明細書に示される、又は記載される特定の実施例に関する例（又はそれについての一つ以上の態様）と、本明細書に示される、又は記載される他の実施例に関する例（又はそれについての一つ以上の態様）とのいずれかに図示または記載された要素（又はそれについての一つ以上の態様）の組み合わせ、又は入れ替えを用いた実施例を考慮している。
【００４１】
本文書で参照される全ての刊行物、特許及び特許文献は、個々に参照により組み込まれるように、その全体が参照により本明細書に組み込まれている。本文書と、参照により組み込まれた文書との間の一致しない用法において、組み込まれた参照の用法は、本文書を補うものと考えられるべきであり、相容れない不一致のために、本文書の用法を管理する。
【００４２】
本文書では、用語「又は」は、特に明記しない限り、非排他的であり、即ち、「Ａ又はＢ」は、「Ａであり、Ｂではない」、「Ｂであり、Ａではない」、及び「Ａ及びＢ」を含む。添付の特許請求の範囲において、用語「含む」は用語「備える」と同意義である。また、請求項において、用語「含む」と、用語「備える」とは、オーブンエンドであり、即ち、請求項において、用語「含む」及び「備える」の後に列挙されるものの他の要素を含むシステム、装置、物品、又はプロセスは、その請求項の範囲内であると判断される。さらに、請求項において、「第１の」、「第２の」及び「第３の」等の用語は、単にラベルとして使用され、それらの対象に数値的要件を課すことを意図するものではない。
【００４３】
上記の説明は例示を意図しており、限定的なものではない。例えば、上記の実施例（又は、それについての一つ以上の態様）は、互いに組み合わせて使用されてもよい。他の実施例は、上記の説明を再考することで、当業者などにより使用されることができる。要約は、米国特許規則（３７ＣＦＲ）１．７２（ｂ）に従うとともに、読者が迅速に技術的開示の特質を確認できるように提供されている。要約書は、それが請求項の範囲又は意味を解釈又は制限するために使用されないという理解の上で提出されている。また、上記の詳細な説明において、様々な特徴は、本開示を合理化するためにグループ化されてもよい。このことは、未請求の開示された特徴が、任意の請求項に不可欠であることを意図するものとして解釈されるべきではない。むしろ、本発明の主題は、開示された特定の実施形態における全ての特徴より少なくてもよい。従って、特許請求の範囲は、各請求項が個々の実施形態のように独自であり、そのような実施形態は様々な組み合わせ、又は入れ替えにより互いに結び付けられると考えられ、詳細な説明に組み込まれている。本発明の範囲は、特許請求の範囲が資格を付与する均等物の全範囲と共に、添付の特許請求の範囲を参照して決定されるべきである。
【図１】
2015521523.tif 000003
【図２】
2015521523.tif 000004
【図３】
2015521523.tif 000005
【図４】
2015521523.tif 000006
【図５】
2015521523.tif 000007
【図６】
2015521523.tif 000008
【図７】
2015521523.tif 000009
【図８】
2015521523.tif 000010
【図９】
2015521523.tif 000011
【図１０】
2015521523.tif 000012
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
ハウジングと、該ハウジングに取り付けられたヘッダとを備え、
前記ヘッダは孔を有するヘッダ本体を含むとともに、前記孔の内には電気的接触部が配置され、
前記電気的接触部は、軸方向の孔を有する螺旋コイルばねを含み、
前記螺旋コイルばねの前記軸方向の孔は、前記孔の長手方向の軸線と合致している埋め込み可能な医療装置。
【請求項２】
前記螺旋コイルばねは、該螺旋コイルばねの第１端の直径及び第２端の直径に比べて小さな内径を有する中間部を含む請求項１に記載の埋め込み可能な医療装置。
【請求項３】
前記中間部は、前記螺旋コイルばねに挿入された端子が前記中間部によって把持されるような大きさに形成されている請求項２に記載の埋め込み可能な医療装置。
【請求項４】
前記螺旋コイルばねは、接触ハウジング内に取り付けられる請求項１〜３のいずれか一項に記載の埋め込み可能な医療装置。
【請求項５】
前記螺旋コイルばねは第１端又は第２端のうち少なくとも一方により、前記接触ハウジングに固定されている請求項４に記載の埋め込み可能な医療装置。
【請求項６】
前記螺旋コイルばねは、生体内での電気的接触部の使用中に、前記螺旋コイルばねの隣接する線条が、互いに接触しないようなピッチを有する請求項１〜５のいずれか一項に記載の埋め込み可能な医療装置。
【請求項７】
前記螺旋コイルばねは、該螺旋コイルばねの中間部と、該螺旋コイルばね内に挿入される端子との間の相対的な動きを最小化するように構成される請求項１に記載の埋め込み可能な医療装置。
【請求項８】
前記螺旋コイルばねの中間ターンは円形である請求項１〜７のいずれか一項に記載の埋め込み可能な医療装置。
【請求項９】
前記螺旋コイルばねの中間ターンは楕円形である請求項１〜７のいずれか一項に記載の埋め込み可能な医療装置。
【請求項１０】
前記螺旋コイルばねは、第１端または第２端のうちの一方が強固に固定されるとともに、前記第１端または前記第２端のうちの他方が前記孔の内において長軸方向に移動可能に前記孔の内に取り付けられる請求項１〜９のいずれか一項に記載の埋め込み可能な医療装置。
【請求項１１】
前記孔の内に受容されるように構成された端子を含むリード線をさらに有する請求項１〜１０のいずれか一項に記載の埋め込み可能な医療装置。
【請求項１２】
前記螺旋コイルばねは、ＭＰ３５Ｎ合金により形成される請求項１〜１１のいずれか一項に記載の埋め込み可能な医療装置。
【請求項１３】
ハウジングと、前記ハウジングに取り付けられたヘッダとを備え、
前記ヘッダは孔を有するヘッダ本体を含むとともに、前記孔の内には電気的接触部が配置され、
前記電気的接触部は、軸方向の孔を有する螺旋コイルばねを含み、
前記螺旋コイルばねの前記軸方向の孔は、前記孔の長手方向の軸線と合致し、
前記螺旋コイルばねは、該螺旋コイルばねの第１端及び第２端よりも小さな外径を有する中間部を含み、
前記中間部は、前記螺旋コイルばねに挿入された端子が前記中間部によって把持されるような大きさに作られている埋め込み可能な医療装置。
【請求項１４】
前記螺旋コイルばねは、該螺旋コイルばねの第１端又は第２端のうち少なくとも一方が接触ハウジングに固定されて、該接触ハウジング内に取り付けられている請求項１３に記載の埋め込み可能な医療装置。
【請求項１５】
前記螺旋コイルばねは、接触ハウジングに固定されないで、該接触ハウジング内に取り付けられている請求項１３に記載の埋め込み可能な医療装置。
【国際調査報告】
2015521523.tif 000013
2015521523.tif 000014
2015521523.tif 000015